(57)【要約】【課題】燃料配管が配置される本体の開放面を回動可能な蓋で閉じる燃料配管プロテクタにおいて、燃料配管に外力が印加された際にプロテクタ内の燃料配管が蓋を押しのけて外へ飛び出すことを防ぐ。【解決手段】燃料配管１２を収容保護する燃料配管プロテクタ１０は、開放面２４を有し燃料配管１２が配置される本体１４と、回動して本体１４の開放面２４を開閉する蓋１６と、蓋１６に接続され本体１４に回動自在に支持された支持腕１８であって蓋１６を押しのけるように燃料配管１２に印加される外力Ｆの印加方向と平行に延びた支持腕１８とを備える。本体１４には、支持腕１８の先端を回動自在に支持する回動支持部３０と、支持腕１８の延設方向の移動を阻止する阻止部２０とが設けられている。【選択図】図１
2020051337.tif 000002
【特許請求の範囲】
【請求項１】
燃料配管を収容保護する燃料配管プロテクタであって、
開放面を有し前記燃料配管が配置される本体と、
回動して前記本体の開放面を開閉する蓋と、
前記蓋に接続され、前記本体に回動自在に支持された支持腕であって、前記蓋を押しのけるように前記燃料配管に印加される外力の印加方向と平行に延びた支持腕と、を備え、
前記本体には、前記支持腕の先端を回動自在に支持する回動支持部と、前記支持腕の延設方向の移動を阻止する阻止部とが設けられている、
ことを特徴とする燃料配管プロテクタ。
【発明の詳細な説明】
【技術分野】
【０００１】
本発明は、燃料配管を保護する燃料配管プロテクタに関する。
【背景技術】
【０００２】
燃料タンクからエンジンへ燃料を供給する燃料配管が車両に配置されている。車両の衝突事故時に燃料配管が破損して燃料漏れを生じることを防ぐため、燃料配管にプロテクタが設けられる（例えば特許文献１を参照）。
【先行技術文献】
【特許文献】
【０００３】
【特許文献１】特開平８−３３４０３２号公報
【発明の概要】
【発明が解決しようとする課題】
【０００４】
プロテクタには、燃料配管の脆弱部など（例えば、つなぎ目）を部分的に収容して保護するものがある。このようなプロテクタは、開放面を有し燃料配管が配置される本体と、本体の開放面の端部脇で軸支されて回動により本体の開放面を開閉する蓋とを有する。蓋が開けられて燃料配管が開放面から本体に配置され、蓋が閉じられている。
【０００５】
上記のようなプロテクタにおいて、衝突事故などの際にプロテクタで覆われていない燃料配管の部分に外力が印加され、プロテクタ内にある燃料配管が蓋を押しのけて外へ飛び出してしまう虞がある。
【０００６】
本発明の目的は、燃料配管が配置される本体の開放面を回動可能な蓋で閉じる燃料配管プロテクタにおいて、燃料配管に外力が印加された際に、プロテクタ内の燃料配管が蓋を押しのけて外へ飛び出すことを防ぐことにある。
【課題を解決するための手段】
【０００７】
本発明の燃料配管プロテクタは、燃料配管を収容保護する燃料配管プロテクタであって、開放面を有し前記燃料配管が配置される本体と、回動して前記本体の開放面を開閉する蓋と、前記蓋に接続され、前記本体に回動自在に支持された支持腕であって、前記蓋を押しのけるように前記燃料配管に印加される外力の印加方向と平行に延びた支持腕と、を備え、前記本体には、前記支持腕の先端を回動自在に支持する回動支持部と、前記支持腕の延設方向の移動を阻止する阻止部とが設けられている、ことを特徴とする。
【発明の効果】
【０００８】
本発明によれば、燃料配管に外力が印加された際に、燃料配管により蓋と、蓋に接続された支持腕に外力の印加方向への荷重が加わるが、支持腕の印加方向（延設方向）への移動が本体の阻止部により阻止されるため、支持腕に接続された蓋の移動も阻止されて、プロテクタ内の燃料配管の外への飛び出しが防がれる。
【図面の簡単な説明】
【０００９】
【図１】燃料配管プロテクタの斜視図である。
【図２】図１のＡ−Ａ断面図である。
【図３】燃料配管に外力が印加された際のプロテクタの様子を示す図である。
【図４】蓋が回動された際のプロテクタの様子を示す図である。
【発明を実施するための形態】
【００１０】
以下、図面を参照しながら本発明の実施形態について説明する。以下で述べる形状は、説明のための例示であって、車両や燃料配管の仕様等に合わせて適宜変更が可能である。以下では、燃料配管プロテクタを単にプロテクタとも言う。全ての図面において同様の要素には同一の符号を付し、重複する説明を省略する。各図において、Ｘ方向はプロテクタの左右方向、Ｙ方向はプロテクタの前後方向、Ｚ方向はプロテクタの上下方向を示している。
【００１１】
図１は、燃料配管プロテクタ１０の斜視図であり、図２は、図１のＡ−Ａ断面図である。プロテクタ１０は、車両のエンジンルームに配置され、燃料タンクからエンジンへ燃料を供給する燃料配管の一部分を収容して保護する。燃料配管のつなぎ目（嵌め合わせ部分）等の脆弱部をプロテクタ１０内に収容することにより、車両の衝突事故などの際に、荷重が脆弱部に直接印加されることを防ぎ、燃料配管の破損による燃料漏れを防ぐ。
【００１２】
図１に示すように、プロテクタ１０は、略直方体の形状を有する。プロテクタ１０は、開放面２４としての上面を有し燃料配管１２が配置される本体１４と、回動して本体１４の開放面２４を開閉する蓋１６と、蓋１６に接続され本体１４に回動可能に支持される２つの支持腕１８とを含む。
【００１３】
本体１４は、燃料配管１２が配置される前後方向に延びる空洞３６を備える。図２に示すように、空洞３６は、開放面２４の開放口に通じており、略同一の断面形状で前後方向（Ｙ方向）に延びる。図４に示すように、蓋１６が回動されて、開放面２４の開放口から空洞３６内に燃料配管１２が配置される。蓋１６は、支持腕１８と一体となって、本体のピン３０（軸、回動支持部）を中心に回動可能となっている。
【００１４】
図１に戻り、ピン３０は、本体１４の右側面４６の下部脇に２つ設けられる。本体１４は、本体１４の右側面４６の下部の前後方向略中央の位置から外方に張り出す張出部３４を有する。２つのピン３０は、張出部３４の外端部分から前後方向に突出した円柱状部材である。前方のピン３０は、前方の支持腕１８の先端にある略円環状のピン受け３２（軸受け）の中に入り込み、同様に、後方のピン３０は、後方の支持腕１８の先端にある略円環状のピン受け３２（軸受け）の中に入り込んでいる。それにより、２つの支持腕１８が本体１４に回動可能に支持されている。なお、ピン３０は、回動支持部とも言える。
【００１５】
２つの支持腕１８のそれぞれは、ピン受け３２から上方（Ｚ方向）に延び、各支持腕１８の上部は、蓋１６の右側面５４に接続されている。
【００１６】
蓋１６は、板状の部材であり、その左端部に、下方に延びる板状の突出部４２を有する。また、本体１４は、図２に示すように、左側壁４８の下部から、外方に突出し、途中で上方に延びた板状の延出部３８を有する。延出部３８の内壁５０と、左側壁４８との間に空隙部４０が形成されている。蓋１６が閉じられた際に、蓋１６の突出部４２が、本体１４の空隙部４０に入り込む。
【００１７】
図２に示すように、蓋１６が閉じられた状態では、蓋１６の突出部４２の外壁５２と、本体１４の延出部３８の内壁５０とが圧接している。また、蓋１６に接続された支持腕１８のピン受け３２の内壁と、本体１４のピン３０とが圧接している。これにより、蓋１６が閉じられた状態では、本体１４に対して、蓋１６が左右両側で係止されている。
【００１８】
本実施形態のプロテクタ１０は、車両の衝突事故などによりプロテクタ１０で覆われていない燃料配管１２の部分に外力Ｆ（図１参照）が印加された際に、プロテクタ１０内にある燃料配管１２が蓋１６を押しのけて外へ飛び出してしまうことが防がれている。それについて、以下説明する。
【００１９】
本体１４は、右側面４６の上部から外方に突出した２つの係合部２０（阻止部）を有する。また、２つの支持腕１８のそれぞれは、蓋１６が閉じられた状態で、本体１４の各係合部２０の下側でそれらに対向する係合部２２を有する。各支持腕１８の係合部２２は、各支持腕１８の延設方向の途中（ピン受け３２と、蓋１６との接続部との間の位置）に設けられている。
【００２０】
外力Ｆが印加されると、図３に示すように、プロテクタ１０内の燃料配管１２が、蓋１６に荷重を加えてそれを押しのけようとする。なお、蓋１６を押しのけようとする燃料配管１２に印加される外力Ｆの印加方向は、上方向（Ｚ方向）である。ここで、支持腕１８も、外力Ｆの印加方向であるＺ方向に平行に延びている。
【００２１】
外力Ｆの印加により、蓋１６と共に、蓋１６に接続された支持腕１８が上方向に移動しようとする。すなわち、支持腕１８が、支持腕１８の延設方向に移動しようとする。しかし、支持腕１８の延設方向の途中に設けられた係合部２２が、下側から、本体１４の係合部２０（阻止部）に当接することにより、その移動が阻止される。それにより、蓋１６の上方向への移動が阻止されて、プロテクタ１０内の燃料配管１２の外への飛び出しが防がれる。
【００２２】
なお、図４に示すように、蓋１６は、支持腕１８と一体となって、本体のピン３０（回動支持部）を中心に回動することにより、開く。この際、支持腕１８の係合部２２と、本体１４の係合部２０とは互いに干渉することがなく、回動を妨げることがない。
【符号の説明】
【００２３】
１０  燃料配管プロテクタ（プロテクタ）、１２  燃料配管、１４  本体、１６  蓋、  １８  支持腕、２０  係合部（阻止部）、２２  係合部、２４  開放面、３０  ピン（回動支持部）、３２  ピン受け、３４  張出部、３６  空洞、３８  延出部、４０  空隙部、４２  突出部、４６  右側面、４８  左側壁、５０  内壁、５２  外壁、５４  右側面。
【図１】
2020051337.tif 000003
【図２】
2020051337.tif 000004
【図３】
2020051337.tif 000005
【図４】
2020051337.tif 000006